(57)【要約】【課題】枠材同士の隙間に配置された湿式シールが破損した場合であっても水密性を確保できる建具を提供すること。【解決手段】隣接する枠材２６，５１１同士の隙間のうち、屋外側に形成される隙間に湿式シール７１ａを配置した建具において、湿式シール７１ａの近傍における枠材２６，５１１同士の隙間に配置される水膨潤性止水材７１ｂを備える。また、隣接する枠材２６，５１１同士の隙間のうち、屋外側に形成される隙間に湿式シール７１ａを配置した建具において、枠材２６，５１１同士の締結部分２６１ｃ，５１２ｈよりも屋外側において、枠材２６，５１１同士の隙間に配置される水膨潤性止水材７１ｂを備える。【選択図】図３
2018135676.tif 000002
【特許請求の範囲】
【請求項１】
隣接する枠材同士の隙間のうち、屋外側に形成される隙間に湿式シールを配置した建具において、
前記湿式シールの近傍における前記枠材同士の隙間に配置される水膨潤性止水材を備える建具。
【請求項２】
隣接する枠材同士の隙間のうち、屋外側に形成される隙間に湿式シールを配置した建具において、
前記枠材同士の締結部分よりも屋外側において、前記枠材同士の隙間に配置される水膨潤性止水材を備える建具。
【請求項３】
外周側に配置される第１枠体と、前記第１枠体の内周側の面に面接触して固定される第２枠体と、を備え、
前記隣接する枠材は、前記第１枠体の一部を構成する第１枠材と、前記第２枠体の一部を構成する第２枠材と、である請求項１又は２に記載の建具。
【発明の詳細な説明】
【技術分野】
【０００１】
本発明は、建具に関する。
【背景技術】
【０００２】
従来、水密性を確保するために、隣接する枠材同士の隙間にシール材を設けた建具が知られている（例えば、特許文献１参照）。シール材として、湿式シールが用いられる場合がある。
【先行技術文献】
【特許文献】
【０００３】
【特許文献１】特開２００３−２９３５０１号公報
【発明の概要】
【発明が解決しようとする課題】
【０００４】
隣接する枠材同士の隙間に湿式シールを設けた場合、経時劣化などにより、湿式シールが破損する可能性がある。そのため、湿式シールが破損した場合を考慮して、水密性の確保の対策が必要となる。
【０００５】
本発明は、枠材同士の隙間に配置された湿式シールが破損した場合であっても水密性を確保できる建具を提供することを目的とする。
【課題を解決するための手段】
【０００６】
本発明は、隣接する枠材（例えば、後述の上側無目２６及び連結上枠５１１、縦枠２３及び連結縦枠５２１、方立２５及び連結縦枠５３１）同士の隙間のうち、屋外側に形成される隙間に湿式シール（例えば、後述の湿式シール７１ａ、７２ａ、７３ａ）を配置した建具において、前記湿式シールの近傍における前記枠材同士の隙間に配置される水膨潤性止水材（例えば、後述の水膨潤性止水材７１ｂ、７２ｂ、７３ｂ）を備える建具（例えば、後述のサッシユニット１）に関する。
【０００７】
また、本発明は、隣接する枠材同士の隙間のうち、屋外側に形成される隙間に湿式シールを配置した建具において、前記枠材同士の締結部分（例えば、後述の上側無目ビス孔２６１ｃ及び上枠ビス孔５１２ｈ、縦枠ビス孔２３１ａ及び連結縦枠ビス孔５２２ｈ、方立ビス孔２５１ａ及び連結縦枠ビス孔５３２ｈ）よりも屋外側において、前記枠材同士の隙間に配置される水膨潤性止水材を備える建具に関する。
【０００８】
また、外周側に配置される第１枠体（例えば、後述の枠体２）と、前記第１枠体の内周側の面に面接触して固定される第２枠体（例えば、後述の連結枠体５１）と、を備え、前記隣接する枠材は、前記第１枠体の一部を構成する第１枠材（例えば、後述の上側無目２６、縦枠２３、方立２５）と、前記第２枠体の一部を構成する第２枠材（例えば、後述の連結上枠５１１、連結縦枠５２１、連結縦枠５３１）と、であることが好ましい。
【発明の効果】
【０００９】
本発明によれば、枠材同士の隙間に配置された湿式シールが破損した場合であっても水密性を確保できる建具を提供することができる。
【図面の簡単な説明】
【００１０】
【図１】本発明の第１実施形態に係るサッシユニットを屋外側から見た姿図である。
【図２】第１実施形態のサッシユニットの縦断面図であって、図１のＡ−Ａ線断面図である。
【図３】排煙窓ユニットの縦断面図であって、図１のＢ−Ｂ線断面図である。
【図４】排煙窓ユニットの横断面図であって、図１のＣ−Ｃ線断面図である。
【図５】排煙窓ユニットの横断面図であって、図４の部分拡大図である。
【図６】本発明の第２実施形態に係るサッシユニットを屋外側から見た姿図である。
【図７】第２実施形態のサッシユニットの縦断面図であって、図６のＤ−Ｄ線断面図である。
【図８】第２実施形態のサッシユニットの排煙窓ユニット５の縦断面図であって、図６のＥ−Ｅ線断面図である。
【発明を実施するための形態】
【００１１】
以下、本発明の第１実施形態について、図面を参照しながら説明する。なお、本明細書において、「見付方向」とは、建物に形成された開口部に納められたサッシユニットの横枠（上枠、無目、下枠等）の長手方向（即ち、ガラスや障子の面内方向）を意味し、「見込方向」とは、屋内外方向（即ち、奥行き方向）を意味する。
【００１２】
図１は、本発明の第１実施形態に係るサッシユニットを屋外側から見た姿図である。図２は、第１実施形態のサッシユニットの縦断面図であって、図１のＡ−Ａ線断面図である。図３は、排煙窓ユニットの縦断面図であって、図１のＢ−Ｂ線断面図である。図４は、排煙窓ユニットの横断面図であって、図１のＣ−Ｃ線断面図である。図５は、排煙窓ユニットの横断面図であって、図４の部分拡大図である。なお、図２及び図３において、紙面左側が屋外側であり、右側が屋内側である。また、図４及び図５において紙面奥側が屋内側であり、手前側が屋外側である。
【００１３】
図１に示すように、建具としてのサッシユニット１は、例えば、店舗等の建築物に用いられるものであり、建築物に形成された開口に取り付けられる枠体２（第１枠体）を備える枠ユニットである。枠体２は、サッシユニット１において、後述するＦＩＸ窓６１，６２及び排煙窓ユニット５の外周側に配置される。
【００１４】
枠体２は、横材としての上枠２１と、横材としての下枠２２と、左右両側の縦材としての縦枠２３，２４（第１枠材）と、縦材としての方立２５（第１枠材）と、横材としての上側無目２６（第１枠材）と、下側無目２７と、を備える。枠体２は、全体としては矩形に枠組みされている。上枠２１、下枠２２、縦枠２３，２４、方立２５、上側無目２６及び下側無目２７は、例えば、アルミニウムを押し出し成型することによって形成することができる。枠体２の内側の空間は、方立２５によって見付方向に複数の開口部に区画されるとともに、上側無目２６及び下側無目２７によって複数の開口部のそれぞれが上下方向に区画される。
【００１５】
本実施形態においては、サッシユニット１は、上下に３段の窓が、２列に並べられて構成される。上下に３段の窓として、区画された開口部には、上側無目２６を境にして上段にＦＩＸ窓６１が納められ、下側無目２７を境にして下段にＦＩＸ窓６２が納められ、上側無目２６と下側無目２７との間に排煙窓ユニット５が納められる。
【００１６】
図２に示すように、上枠２１は、屋内側に配置される上枠本体部２１１と、上枠本体部２１１から屋外側に延設され下方側から上方側に窪む凹状部分を有する上枠ガラス保持部２１２と、上枠ガラス保持部２１２から更に屋外側に延設される上枠延設部２１３と、を備える。上枠ガラス保持部２１２には、ＦＩＸ窓６１を構成するガラス６１ａの上端部を保持するガラス溝２１２ａが形成される。
【００１７】
上側無目２６は、図３に示すように、屋内側に配置されかつ中空部を備えるホロー構造である上側無目本体部２６１と、上側無目本体部２６１から屋外側に延設される上側無目ガラス保持部２６２と、上側無目ガラス保持部２６２に係止される上側ガラス保持部材２６３と、上側無目カバー部材２６４と、を備える。
【００１８】
上側ガラス保持部材２６３は、上側無目ガラス保持部２６２に嵌合される。上側無目本体部２６１及び上側ガラス保持部材２６３によって、ＦＩＸ窓６１を構成するガラス６１ａの下端部を保持するガラス溝２６２ａが形成される。ガラス６１ａは、単板ガラス又は複層ガラスであり、上下方向において、上枠２１と上側無目２６との間で保持される。
【００１９】
上側無目カバー部材２６４は、上側ガラス保持部材２６３の屋外側に嵌合される。上側無目カバー部材２６４は、上下方向に直線状に延びる上側無目カバー部材直線状部２６４ａを有する。上側無目カバー部材直線状部２６４ａは、上側無目２６の下面と排煙障子５２の連結枠体５１の連結上枠５１１（後述）の屋外側折り返し片の上面との間の隙間を覆うように、上側無目２６及び排煙障子５２の連結枠体５１の連結上枠５１１の屋外側において、上下方向に延びる。上側無目カバー部材直線状部２６４ａは、上側無目２６から、上側無目２６の下面と排煙障子５２の連結枠体５１の連結上枠５１１（後述）の屋外側折り返し片の上面との間の隙間よりも下方側の位置まで延びる。
【００２０】
上側無目本体部２６１は、図３に示すように、上側無目ガラス保持部２６２よりも下方側に配置されかつ見付方向に延びる上側無目下面板２６１ａを有する。上側無目下面板２６１ａの屋外側の端部２６１ｂは、後述する連結上枠５１１の屋外側折り返し片５１２ｃよりも屋外側に突出して配置される。上側無目下面板２６１ａには、見込方向の中央側において、上下方向に貫通する上側無目ビス孔２６１ｃが形成される。上側無目ビス孔２６１ｃには、上側無目２６に排煙障子５２の連結上枠５１１が締結される場合に、固定ビス５０１が貫通されて締結される。
【００２１】
排煙窓ユニット５は、ユニット化されて構成され、上下のＦＩＸ窓６１，６２の間において、上下のＦＩＸ窓６１，６２を保持する枠体２に設置可能である。例えば、既設の枠体２に対して、後の作業において、排煙窓ユニット５を設置できる。排煙窓ユニット５は、上下方向において、上側無目２６と下側無目２７との間に配置される。また、左側の排煙窓ユニット５は、左右方向において、縦枠２３と方立２５との間に配置され、右側の排煙窓ユニット５は、左右方向において、方立２５と縦枠２４との間に配置される。
【００２２】
排煙窓ユニット５は、図１及び図２に示すように、連結枠体５１（第２枠体）と、連結枠体５１内に配置された排煙障子５２と、連結枠体５１と排煙障子５２の下端部とを連結する連結部５８と、を備えて構成される。連結枠体５１は、サッシユニット１の枠体２に連結される。連結枠体５１は、サッシユニット１の枠体２の内周側の面に面接触して固定される。連結部５８は、排煙障子５２を連結枠体５１に対して回動可能に、排煙障子５２を支持する。
【００２３】
排煙障子５２は、図３及び図４に示すように、連結枠体５１を介して、枠体２（縦枠２３、方立２５、上側無目２６及び下側無目２７）に取り付けられる。連結枠体５１は、連結上枠５１１（第２枠材）と、連結下枠５１４と、左右の連結縦枠５２１，５３１（第２枠材）（図４参照）と、を有する。連結枠体５１は、全体として、矩形に枠組みされて構成される。排煙障子５２は、図３に示すように、上端部が、連結上枠５１１を介して、上側無目２６の下部側に取り付けられ、下端部が、連結下枠５１４を介して、下側無目２７の上部側に取り付けられる。また、左側の排煙窓ユニット５の排煙障子５２は、図４に示すように、左側が、連結縦枠５２１を介して、縦枠２３に取り付けられ、右側が、連結縦枠５３１を介して、方立２５に取り付けられる。
【００２４】
排煙障子５２は、排煙框体５３と、排煙框体５３内に嵌め込まれて固定された排煙ガラス５７と、を備える。排煙框体５３は、排煙上框５４、排煙下框５５及び左右の排煙縦框５６により矩形に枠組みされて構成される。
【００２５】
連結枠体５１内に配置される排煙障子５２は、下方側が連結部５８に支持されており、連結部５８の回動軸Ｊ（図２及び図３参照）を中心に回動可能である。排煙障子５２は、連結部５８の回動軸Ｊを中心に、連結枠体５１の内側に配置される閉位置と、排煙障子５２の上端部が屋外側に倒れて連結枠体５１の外側に配置される開位置と、の位置に回動可能に構成される。
【００２６】
連結上枠５１１は、図３に示すように、連結上枠本体５１２と、上枠側戸当たり部５１３と、を有する。
【００２７】
連結上枠本体５１２は、上側が開放した略Ｃ字状に形成される。連結上枠本体５１２は、屋外側から屋内側に向けて見込方向に延びる底面板５１２ａと、底面板５１２ａにおける屋外側の端部から立ち上がる屋外側立ち上がり板５１２ｂと、屋外側立ち上がり板５１２ｂの上端から屋内側に延びる屋外側折り返し片５１２ｃと、底面板５１２ａにおける屋内側の端部から立ち上がる屋内側立ち上がり板５１２ｄと、屋内側立ち上がり板５１２ｄの上端から屋外側に延びる屋内側折り返し片５１２ｅと、を有する。連結上枠本体５１２は、上端部に形成される屋外側折り返し片５１２ｃの上面及び屋内側折り返し片５１２ｅの上面が、上側無目２６の上側無目下面板２６１ａの下面に当接され状態で、上側無目２６に連結される。
【００２８】
底面板５１２ａは、下面において屋外側の端部の形成される嵌合部５１２ｆと、見込方向における嵌合部５１２ｆよりも屋内側において底面板５１２ａの中央側に形成される上枠ビス孔５１２ｈと、を有する。
嵌合部５１２ｆは、底面板５１２ａの外側における屋外側の下部に配置される。嵌合部５１２ｆには、排煙障子５２が閉鎖位置に位置する場合において、排煙障子５２の屋外側の上端部を上方側から押圧する気密材５１２ｇが嵌合されて保持される。
【００２９】
上側無目２６と連結上枠５１１とを連結する場合には、連結上枠本体５１２の底面板５１２ａと上側無目２６との間には、方形筒状の連結補強体５１０が配置される。連結補強体５１０の上面板５１０ａの上面には、上側無目２６の上側無目下面板２６１ａが当接され、下面板５１０ｂの下面には、連結上枠５１１の底面板５１２ａの上面が当接される。
【００３０】
上側無目ビス孔２６１ｃ及び上枠ビス孔５１２ｈは、見込方向における同じ位置において、上下方向に直線上に並んで配置される。上側無目ビス孔２６１ｃ及び上枠ビス孔５１２ｈには、固定ビス５０１が、下方側から上方側に移動されて、貫通されて配置される。見込方向の締結位置における上側無目ビス孔２６１ｃ及び上枠ビス孔５１２ｈにおいて、上側無目２６と連結上枠５１１とを、固定ビス５０１により、連結補強体５１０と共に締結することで、上側無目２６と連結上枠５１１とを連結する。上側無目ビス孔２６１ｃ及び上枠ビス孔５１２ｈは、見込方向における締結位置において、固定ビス５０１により、上側無目２６と連結上枠５１１とが締結される締結部分である。
【００３１】
上枠側戸当たり部５１３は、連結上枠５１１の底面板５１２ａにおける上枠ビス孔５１２ｈよりも屋内側の下面から、下方側に直線状に延びる。上枠側戸当たり部５１３の下端部には、屋外側に開放する嵌合部５１３ａが形成される。嵌合部５１３ａには、排煙障子５２の屋内側の側面を押圧する気密材５１３ｂが嵌合されて保持される。
【００３２】
上側無目２６と連結上枠５１１との間の隙間のうち、屋外側に形成される隙間には、湿式シール７１ａが塗工されている。湿式シール７１ａは、上側無目２６の上側無目下面板２６１ａの屋外側の端部２６１ｂの下面と、連結上枠５１１の屋外側立ち上がり板５１２ｂの上端部の屋外側の側面とに跨って塗工され、断面が三角形状に形成されている。湿式シール７１ａは、見付方向の左右方向に亘って塗工される。
【００３３】
上側無目２６と連結上枠５１１との間の隙間において、湿式シール７１ａの近傍には、水膨潤性止水材７１ｂが配置される。水膨潤性止水材７１ｂは、上側無目２６と連結上枠５１１との間の隙間への水の浸入を抑制できる乾式シール材である。
【００３４】
本実施形態においては、水膨潤性止水材７１ｂは、上側無目２６と連結上枠５１１との間の隙間において、湿式シール７１ａの上端部の上部から屋内側に延びる。また、水膨潤性止水材７１ｂは、見付方向の左右方向に延びる。水膨潤性止水材７１ｂは、厚みが薄いシート状に形成され、上側無目２６の下面又は連結上枠５１１の上面に粘着剤を介して貼り付けられる。水膨潤性止水材７１ｂは、上側無目２６の上側無目下面板２６１ａの屋外側の端側の下面と、連結上枠５１１の屋外側折り返し片５１２ｃの上面との間の隙間に配置される。水膨潤性止水材７１ｂは、見付方向において、上側無目２６と連結上枠５１１とが固定ビス５０１により締結される締結部分（上側無目ビス孔２６１ｃ及び上枠ビス孔５１２ｈ）よりも屋外側に配置される。
【００３５】
水膨潤性止水材７１ｂは、例えば、ポリオルフィンを基材として、表面に吸収層を有し、表面と反対側の面には、アクリル系の粘着層が形成されている。吸収層は、例えば、高分子吸収体（Ｓｕｐｅｒ  Ａｂｓｏｒｂｅｎｔ  Ｐｏｌｙｍｅｒ  ：ＳＡＰ）を用いて形成される。高分子吸収体は、高吸収性ポリマーとも呼ばれ、水膨潤性止水材７１ｂに浸入した水を吸収してゲル状に変化させて膨張させる。これにより、水膨潤性止水材７１ｂは、例えば、固定ビス５０１が締結される上側無目２６の上側無目下面板２６１ａの上側無目ビス孔２６１ｃよりも屋外側において、上側無目２６と連結上枠５１１との間の隙間を塞いで止水して、水漏れや浸水を防ぐことができる。
【００３６】
以上のように構成される水膨潤性止水材７１ｂは、湿式シール７１ａの近傍において、隣接する上側無目２６及び連結上枠５１１同士の締結部分（上側無目ビス孔２６１ｃ及び上枠ビス孔５１２ｈ）よりも屋外側に配置される。そのため、経時劣化などにより湿式シール７１ａが破損した場合であっても、水膨潤性止水材７１ｂにより、枠材の連結部分において水の浸入を抑制できる。詳細には、湿式シール７１ａが破損した場合に、水膨潤性止水材７１ｂに到達した水は、高分子吸収体において、ゲル状に変化されて膨張される。これにより、水が浸入することを抑制できる。
【００３７】
連結下枠５１４は、図３に示すように、下側無目２７の上部側に固定されている。
連結下枠５１４は、連結部を支持する連結下枠本体５１５と、連結下枠本体５１５の屋内側の端部から上方に延びる下枠側戸当たり部５１６と、屋外側の下端部において固定ビス５０２により下側無目２７に締結される下端固定片５１７と、屋内側において下側無目２７に固定される屋内側固定部５１８と、を有する。
【００３８】
下枠側戸当たり部５１６の上端部には、屋外側に開放する嵌合部５１６ａが形成される。嵌合部５１６ａには、排煙障子５２の屋内側の側面を押圧する気密材５１６ｂが嵌合されて保持される。
【００３９】
下側無目２７は、図３に示すように、屋内側に配置されかつ中空部を備えるホロー構造である無目本体部２７１と、無目本体部２７１の屋内側の端部の上部から上方に延びる無目延在片２７２と、無目本体部２７１の屋外側において上面から上方に延びる固定片２７３と、無目本体部２７１の屋外側に形成される無目ガラス保持部２７４と、無目ガラス保持部２７４の屋外側に配置される下側無目カバー部材２７５と、を備える。無目ガラス保持部２７４には、ＦＩＸ窓６２を構成するガラス６２ａの上端部を保持するガラス溝２７４ａが形成される。
【００４０】
下側無目２７と連結下枠５１４とは、下側無目２７の固定片２７３及び連結下枠５１４の下端固定片５１７において、固定ビス５０２により締結される。
【００４１】
下側無目カバー部材２７５は、無目本体部２７１の屋外側の上端に嵌合される。下側無目カバー部材２７５は、上下方向に直線状に延びる下側無目カバー部材直線状部２７５ａを有する。下側無目カバー部材直線状部２７５ａは、下側無目２７及び連結下枠５１４の屋外側において、下側無目２７と連結下枠５１４とを締結する固定ビス５０２を覆うように、上下方向に延びる。
【００４２】
下枠２２は、図２に示すように、中空部を備えるホロー構造である下枠本体部２２１と、下枠本体部２２１の上方側の屋外側に形成される下枠ガラス保持部２２２と、下枠ガラス保持部２２２に係止される下枠ガラス保持部材２２３と、下枠本体部２２１の屋外側の下端に形成される下部枠部２２４と、を備える。
【００４３】
下枠ガラス保持部材２２３は、下枠ガラス保持部２２２に嵌合される。下枠ガラス保持部材２２３及び下枠ガラス保持部２２２によって、ＦＩＸ窓６２を構成するガラス６２ａの下端部を保持するガラス溝２２２ａが形成される。ガラス６２ａは、単板ガラス又は複層ガラスであり、上下方向において、上枠２１と上側無目２６との間で保持される。
【００４４】
次に、縦枠２３，２４及び方立２５について説明する。図１に示すように、縦枠２３，２４及び方立２５は、ＦＩＸ窓６１及びＦＩＸ窓６２の縦材を構成する。
サッシユニット１は、中段位置の見付方向において、例えば、図１に示す左から右に向けて、左側の縦枠２３、左側の排煙窓ユニット５、方立２５、右側の排煙窓ユニット５、右側の縦枠２４の順に配置されている。左側の排煙窓ユニット５は、左側の縦枠２３と方立２５との間に納められる。右側の排煙窓ユニット５は、方立２５と右側の縦枠２４との間に納められる。
【００４５】
本実施形態では、サッシユニット１が見付方向の中央に対して左右対称の構造である。そのため、縦枠２３，２４及び方立２５において、本実施形態の説明では、屋外側から見て、図１に示すサッシユニット１の左側の排煙窓ユニット５に関連する構成について主に説明し、屋外側から見て、図１に示すサッシユニット１の右側の排煙窓ユニット５に関連する構成の説明を省略する。サッシユニット１の右側の排煙窓ユニット５に関連する構成の説明は、サッシユニット１の左側の排煙窓ユニット５に関連する構成の説明を援用できる。
【００４６】
図４に示すように、縦枠２３は、屋内側に配置されかつ中空部を備えるホロー構造である縦枠本体部２３１と、縦枠本体部２３１から屋外側に延設される縦枠延在部２３２と、縦枠延在部２３２から屋外側に延設される縦枠屋外側部２３３と、を備える。
【００４７】
縦枠延在部２３２は、縦枠本体部２３１の左側の端部から屋外側に直線状に延びる。縦枠延在部２３２の右側には、右側から左側に窪むガラス収容溝２３２ａが形成される。ガラス収容溝２３２ａは、縦枠２３に、ＦＩＸガラスを直接取り付ける場合に使用される。本実施形態においては、ガラス収容溝２３２ａは使用されないため、ガラス収容溝２３２ａは、カバー部材２３４により閉止される。
【００４８】
縦枠屋外側部２３３は、縦枠延在部２３２の屋外側の端部から、屋外側に延びる。縦枠屋外側部２３３は、中空部を備えるホロー構造である。
【００４９】
縦枠本体部２３１の右側の側面、カバー部材２３４の右側の側面及び縦枠屋外側部２３３の右側の側面は、見込方向に延びて形成され、同一平面上に位置する。
【００５０】
縦枠本体部２３１の右側の側面、カバー部材２３４の右側の側面及び縦枠屋外側部２３３の右側の側面には、排煙窓ユニット５の連結枠体５１（後述）の左側の連結縦枠５２１が固定される。
【００５１】
左側の連結縦枠５２１は、図５に示すように、連結縦枠本体５２２と、縦枠戸当たり部５２３と、を有する。
【００５２】
連結縦枠本体５２２は、左側が開放した略Ｃ字状に形成される。左側の連結縦枠５２１は、屋外側から屋内側に向けて見込方向に延びる側面板５２２ａと、側面板５２２ａにおける屋外側の端部から左側に延びる屋外側延在板５２２ｂと、屋外側延在板５２２ｂの左側の端部から屋内側に延びる屋外側折り返し片５２２ｃと、側面板５２２ａにおける屋内側の端部から左側に延びる屋内側延在板５２２ｄと、屋内側延在板５２２ｄの左側の端部から屋外側に延びる屋内側折り返し片５２２ｅと、を有する。
左側の連結縦枠５２１は、左側の端部に形成される屋外側折り返し片５２２ｃの上面及び屋内側折り返し片５２２ｅの上面が、右側の縦枠２３の右側の側面に当接され状態で、右側の縦枠２３に連結される。
【００５３】
側面板５２２ａは、見込方向において側面板５２２ａの中央側に形成される連結縦枠ビス孔５２２ｈと、を有する。
【００５４】
左側の縦枠２３と連結縦枠５２１とを連結する場合には、左側の連結縦枠５２１の側面板５２２ａと縦枠２３との間には、方形筒状の連結補強体５２０が配置される。連結補強体５２０の左側板５２０ａの左側面には、縦枠２３の縦枠本体部２３１の右側の側面が当接され、連結補強体５２０の右側板５２０ｂの右側面には、左側の連結縦枠５２１の側面板５２２ａの左側の側面が当接される。
【００５５】
縦枠２３の縦枠本体部２３１の右側の側面に形成される縦枠ビス孔２３１ａ及び連結縦枠ビス孔５２２ｈは、見込方向における同じ位置において、左右方向に直線上に並んで配置される。縦枠ビス孔２３１ａ及び連結縦枠ビス孔５２２ｈには、固定ビス５０３が、右側から左側に移動されて、貫通されて配置される。見込方向の締結位置における縦枠ビス孔２３１ａ及び連結縦枠ビス孔５２２ｈにおいて、縦枠２３と連結縦枠５２１とを、固定ビス５０３により、連結補強体５２０と共に締結することで、縦枠２３と連結縦枠５２１とを連結する。縦枠ビス孔２３１ａ及び連結縦枠ビス孔５２２ｈは、見込方向における締結位置において、固定ビス５０３により、左側の縦枠２３と連結縦枠５２１とが締結される締結部分である。
【００５６】
左側の縦枠戸当たり部５２３は、連結縦枠５２１の側面板５２２ａにおける連結縦枠ビス孔５２２ｈよりも屋内側の側面から、右側に直線状に延びる。左側の縦枠戸当たり部５２３の右側の端部には、屋外側に開放する嵌合部５２３ａが形成される。嵌合部５２３ａには、排煙障子５２の屋内側の側面を押圧する気密材５２３ｂが嵌合されて保持される。
【００５７】
縦枠２３と連結縦枠５２１との間の隙間のうち、屋外側に形成される隙間には、湿式シール７２ａが塗工されている。湿式シール７２ａは、縦枠２３の屋外側の右側の側面と、連結縦枠５２１の屋外側延在板５２２ｂの右側の端部の屋外側の側面とに跨って塗工され、断面が三角形状に形成されている。湿式シール７２ａは、見付方向の上下方向に亘って塗工される。
【００５８】
縦枠２３と連結縦枠５２１との間の隙間において、湿式シール７２ａの近傍には、水膨潤性止水材７２ｂが配置される。水膨潤性止水材７２ｂは、縦枠２３と連結縦枠５２１との間の隙間への水の浸入を抑制できる乾式シール材である。
【００５９】
本実施形態においては、水膨潤性止水材７２ｂは、縦枠２３と連結縦枠５２１との間の隙間において、湿式シール７２ａの上端部から見込方向における屋内側に延びる。水膨潤性止水材７２ｂは、厚みが薄いシート状に形成され、縦枠２３又は連結縦枠５２１の側面に粘着剤を介して貼り付けられる。水膨潤性止水材７２ｂは、縦枠２３の屋外側の右側の側面と、連結縦枠５２１の屋外側折り返し片５２２ｃの左側の側面との間の隙間に配置される。水膨潤性止水材７２ｂは、見付方向において、縦枠２３と連結縦枠５２１とが固定ビス５０３により締結される締結部分（縦枠ビス孔２３１ａ及び連結縦枠ビス孔５２２ｈ）よりも屋外側に配置される。
【００６０】
水膨潤性止水材７２ｂは、例えば、前述の水膨潤性止水材７１ｂと同様の素材により形成され、水膨潤性止水材７２ｂに浸入した水を吸収してゲル状に変化させて膨張させる。これにより、水膨潤性止水材７２ｂは、固定ビス５０３が締結される縦枠２３の縦枠本体部２３１の右側の側面に形成される縦枠ビス孔２３１ａよりも屋外側において、縦枠２３と連結縦枠５２１との間の隙間を塞いで止水して、水漏れや浸水を防ぐことができる。
【００６１】
以上のように構成される水膨潤性止水材７２ｂは、湿式シール７２ａの近傍において、隣接する縦枠２３及び連結縦枠５２１同士の締結部分（縦枠ビス孔２３１ａ及び連結縦枠ビス孔５２２ｈ）よりも屋外側に配置される。そのため、経時劣化などにより湿式シール７２ａが破損した場合であっても、水膨潤性止水材７２ｂにより、枠材の連結部分において水の浸入を抑制できる。詳細には、湿式シール７２ａが破損した場合に、水膨潤性止水材７２ｂに到達した水は、高分子吸収体において、ゲル状に変化されて膨張される。これにより、水が浸入することを抑制できる。
【００６２】
方立２５は、図４に示すように、屋外側から見て、左側に配置される第１方立部材２５１と、右側に配置される第２方立部材２５２と、を備える。
【００６３】
第１方立部材２５１は、右側が開放された断面略Ｌ字状の第１方立本体部３１１と、第１方立本体部３１１の屋外側に延設されガラス収容溝３１２ａが形成される第１方立保持部３１２と、第１方立保持部３１２から屋外側に延設される第１方立屋外側部３１３と、を備える。
【００６４】
第１方立保持部３１２は、第１方立本体部３１１の屋体側の端部から左側の側面から右側に窪むように湾曲して形成される。第１方立保持部３１２の左側には、左側から右側に窪むガラス収容溝３１２ａが形成される。ガラス収容溝３１２ａは、第１方立部材２５１に、ＦＩＸガラスを直接取り付ける場合に使用される。本実施形態においては、ガラス収容溝３１２ａは使用されないため、ガラス収容溝３１２ａは、カバー部材３１４により閉止される。
【００６５】
第１方立本体部３１１の左側の側面、カバー部材３１４の左側の側面及び第１方立屋外側部３１３の左側の側面は、見込方向に延びて形成され、同一平面上に位置する。
【００６６】
第１方立本体部３１１の左側（排煙障子５２が設けられる側）の側面には、排煙窓ユニット５の連結枠体５１の右側の連結縦枠５３１が固定される。
【００６７】
右側の連結縦枠５３１は、図５に示すように、連結縦枠本体５３２と、縦枠戸当たり部５３３と、を有する。右側の連結縦枠５３１は、左側の連結縦枠５２１と左右対称で同一の構成である。そのため、右側の連結縦枠５３１の説明は、左側の連結縦枠５２１に対応する符号を付けて、その説明を省略する。
【００６８】
方立２５と連結縦枠５３１との間の隙間のうち、屋体側に形成される隙間には、湿式シール７３ａが塗工されている。湿式シール７３ａは、方立２５の屋外側の左側の側面と、連結縦枠５３１の屋外側延在板５３２ｂの左側の端部の屋外側の側面とに跨って塗工され、断面が三角形状に形成されている。湿式シール７３ａは、見付方向の上下方向に亘って塗工される。
【００６９】
方立２５と連結縦枠５３１との間の隙間において、湿式シール７３ａの近傍には、水膨潤性止水材７３ｂが配置される。水膨潤性止水材７１ｂは、方立２５と連結縦枠５３１との間の隙間への水の浸入を抑制できる乾式シール材である。
【００７０】
本実施形態においては、水膨潤性止水材７３ｂは、方立２５と連結縦枠５３１との間の隙間において、湿式シール７３ａの上端部から屋内側に延びる。また、水膨潤性止水材７３ｂは、見付方向の上下方向に延びる。水膨潤性止水材７３ｂは、厚みが薄いシート状に形成され、方立２５又は連結縦枠５３１の側面に粘着剤を介して貼り付けられる。水膨潤性止水材７３ｂは、方立２５の屋外側の左側の側面と、連結縦枠５３１の屋外側折り返し片５３２ｃの左側の側面との間の隙間に配置される。水膨潤性止水材７３ｂは、固定ビス５０４が締結される方立２５の第１方立部材２５１の第１方立本体部３１１の左側の側面に形成される方立ビス孔２５１ａよりも屋外側に配置される。
【００７１】
水膨潤性止水材７３ｂは、例えば、前述の水膨潤性止水材７１ｂと同様の素材により形成され、水膨潤性止水材７３ｂに浸入した水を吸収してゲル状に変化させて膨張させる。これにより、水膨潤性止水材７３ｂは、固定ビス５０４が締結される方立２５の第１方立部材２５１の第１方立本体部３１１の左側の側面に形成される方立ビス孔２５１ａよりも屋外側において、方立２５と連結縦枠５３１との間の隙間を塞いで止水して、水漏れや浸水を防ぐことができる。
【００７２】
以上のように構成される水膨潤性止水材７３ｂは、湿式シール７３ａの近傍において、隣接する方立２５及び連結縦枠５３１同士の締結部分（方立ビス孔２５１ａ及び連結縦枠ビス孔５３２ｈ）よりも屋外側に配置される。そのため、経時劣化などにより湿式シール７２ａが破損した場合であっても、水膨潤性止水材７２ｂにより、枠材の連結部分において水の浸入を抑制できる。詳細には、湿式シール７３ａが破損した場合に、水膨潤性止水材７３ｂに到達した水は、高分子吸収体において、ゲル状に変化されて膨張される。これにより、水が浸入することを抑制できる。
【００７３】
縦枠本体部２３１と第１方立部材２５１との間に配置される排煙障子５２について説明する。図４に示すように、排煙障子５２は、排煙框体５３と、排煙框体５３内に嵌め込まれて固定された排煙ガラス５７と、を備える。排煙框体５３は、見付方向において、屋外側から見て、左側に配置される左側の排煙縦框５６と、右側に配置される排煙縦框５６と、を備える。左側に配置される左側の排煙縦框５６及び右側に配置される排煙縦框５６は、排煙ガラス５７の左右の端部を保持する。
【００７４】
第２方立部材２５２は、屋内側から屋外側に直線状に延びる第２方立本体部３２１と、第２方立本体部３２１の屋外側に延設されガラス収容溝３２２ａが形成される第２方立保持部３２２と、第２方立保持部３２２から屋外側に延設される第２方立屋外側部３２３と、を備える。
【００７５】
第２方立保持部３２２は、第２方立本体部３２１の屋体側の端部から左側の側面から右側に窪むように湾曲して形成される。第２方立保持部３２２の右側には、右側から左側に窪むガラス収容溝３２２ａが形成される。ガラス収容溝３２２ａは、第２方立部材２５２に、ＦＩＸガラスを直接取り付ける場合に使用される。本実施形態においては、ガラス収容溝３２２ａは使用されないため、ガラス収容溝３２２ａは、カバー部材３２４により閉止される。
【００７６】
第２方立本体部３２１の右側の側面、カバー部材３２４の右側の側面及び第２方立屋外側部３２３の左側の側面は、見込方向に延びて形成され、同一平面上に位置する。
【００７７】
第２方立本体部３２１の右側（右側の排煙障子５２が設けられる側）の側面には、サッシユニット１における左右に並ぶ排煙窓ユニット５のうち、右側の排煙窓ユニット５の連結枠体５１の左側の連結縦枠５２１が固定される。
【００７８】
右側の排煙窓ユニット５の構成は、左側の排煙窓ユニット５の構成と同一の構成である。そのため、右側の排煙窓ユニット５の構成は、左側の排煙窓ユニット５の構成の説明を適用して、その説明を省略する。また、湿式シール７２ａ及び水膨潤性止水材７２ｂの構成及び配置も同様であるため、説明を省略する。
【００７９】
以上説明したように、本実施形態によれば、以下の効果が奏される。
本実施形態のサッシユニット１は、隣接する上側無目２６及び連結上枠５１１同士の隙間、隣接する縦枠２３及び連結縦枠５２１同士の隙間、隣接する方立２５及び連結縦枠５３１同士の隙間のうち、屋外側に形成される隙間に湿式シール７１ａ、７２ａ、７３ａを配置したサッシユニット１において、湿式シール７１ａ、７２ａ、７３ａの近傍における隣接する上側無目２６及び連結上枠５１１同士の隙間、隣接する縦枠２３及び連結縦枠５２１同士の隙間、隣接する方立２５及び連結縦枠５３１同士の隙間に配置される水膨潤性止水材７１ｂ、７２ｂ、７３ｂを備える。そのため、湿式シール７１ａ、７２ａ、７３ａが破損した場合であっても、水膨潤性止水材７１ｂ、７２ｂ、７３ｂにより、枠材の連結部分において水の浸入を抑制できるため、水密性を向上できる。また、水膨潤性止水材７１ｂ、７２ｂ、７３ｂを用いて止水するため、水膨潤性止水材７１ｂ、７２ｂ、７３ｂに到達した水を吸収してゲル状に変化させて膨張させることで、枠材同士の間の隙間に水が浸入することを一層抑制できる。
【００８０】
また、本実施形態においては、隣接する上側無目２６及び連結上枠５１１同士の隙間、隣接する縦枠２３及び連結縦枠５２１同士の隙間、隣接する方立２５及び連結縦枠５３１同士の隙間のうち、屋外側に形成される隙間に湿式シール７１ａ、７２ａ、７３ａを配置したサッシユニット１において、隣接する上側無目２６及び連結上枠５１１の締結部分である上側無目ビス孔２６１ｃ及び上枠ビス孔５１２ｈの屋外側、隣接する縦枠２３及び連結縦枠５２１同士の連結部分である縦枠ビス孔２３１ａ及び連結縦枠ビス孔５２２ｈの屋外側、隣接する方立２５及び連結縦枠５３１の連結部分である方立ビス孔２５１ａ及び連結縦枠ビス孔５３２ｈよりも屋外側において、隣接する上側無目２６及び連結上枠５１１同士の隙間、隣接する縦枠２３及び連結縦枠５２１同士の隙間、隣接する方立２５及び連結縦枠５３１同士の隙間に配置される水膨潤性止水材７１ｂ、７２ｂ、７３ｂを備える。
【００８１】
そのため、湿式シール７１ａ、７２ａ、７３ａが破損した場合であっても、水膨潤性止水材７１ｂ、７２ｂ、７３ｂにより、枠材同士の連結部分において水の浸入を抑制できるため、水密性を向上できる。また、水膨潤性止水材７１ｂ、７２ｂ、７３ｂを用いて止水するため、枠材同士の間の隙間に水が浸入することを一層抑制できる。また、水膨潤性止水材７１ｂ、７２ｂ、７３ｂを、枠材同士の連結部分（上側無目ビス孔２６１ｃ及び上枠ビス孔５１２ｈ、縦枠ビス孔２３１ａ及び連結縦枠ビス孔５２２ｈ、方立ビス孔２５１ａ及び連結縦枠ビス孔５３２ｈ）よりも屋外側に配置したため、連結部分（上側無目ビス孔２６１ｃ及び上枠ビス孔５１２ｈ、縦枠ビス孔２３１ａ及び連結縦枠ビス孔５２２ｈ、方立ビス孔２５１ａ及び連結縦枠ビス孔５３２ｈ）から枠材の内部に水が浸入することを抑制できる。これにより、屋内側への水の浸入を抑制できる。
【００８２】
また、本実施形態においては、外周側に配置される枠体２と、枠体２の内周側の面に面接触して固定される連結枠体５１と、を備え、隣接する枠材は、枠体２の一部を構成する上側無目２６、縦枠２３、方立２５と、連結枠体５１の一部を構成する連結上枠５１１、連結縦枠５２１、連結縦枠５３１と、である。これにより、例えば、既設の枠体２に、排煙窓ユニット５などの窓ユニットを後付けで取り付ける場合に、既設の枠体と窓ユニットとの水密性を確保できる。
【００８３】
次に、本発明の第２実施形態に係るサッシユニット１Ａの構成について、図６〜図８を参照して説明する。図６は、本発明の第２実施形態に係るサッシユニット１Ａを屋外側から見た姿図である。図７は、第２実施形態のサッシユニット１Ａの縦断面図であって、図６のＤ−Ｄ線断面図である。図８は、第２実施形態のサッシユニット１Ａの排煙窓ユニット５の縦断面図であって、図６のＥ−Ｅ線断面図である。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【００８４】
図６に示すように、第１実施形態のサッシユニット１が３段の窓の構成を備えていたのに対して、第２実施形態のサッシユニット１Ａが２段の窓の構成を備える点において、第２実施形態は、第１実施形態と主に異なる。また、第２実施形態の湿式シール７４ａは、第１実施形態の湿式シール７１ａとは配置の構成が異なる。
【００８５】
第２実施形態のサッシユニット１Ａは、第１実施形態のサッシユニット１において、最上段の窓の構成がなく、第１実施形態における上枠２１、ＦＩＸ窓６１及び上側無目２６に代えて、上枠２８により構成され、下側無目２７は、単なる無目２７として構成される。
【００８６】
第２実施形態のサッシユニット１Ａは、上下に２段の窓が、２列に並べられて構成される。区画された開口部には、上下に２段の窓は、無目２７を境にして上段に排煙窓ユニット５が納められ、無目２７を境にして下段にＦＩＸ窓６２が納められる。
【００８７】
枠体２Ａは、全体としては矩形に枠組みされている。枠体２Ａは、横材としての上枠２８と、横材としての下枠２２と、左右両側の縦材としての縦枠２３，２４と、縦材としての方立２５と、横材としての無目２７と、を備える。枠体２Ａの内側の空間は、方立２５によって見付方向に複数の開口部に区画されるとともに、無目２７によって複数の開口部のそれぞれが上下方向に区画される。
【００８８】
図７に示すように、上枠２８は、中空部を備えるホロー構造である上枠本体部２８１と、上枠本体部２８１の屋外側の下部に配置される上枠カバー部材２８２と、を有する。
【００８９】
上枠本体部２８１は、図８に示すように、見込方向に延びる上枠下面板２８１ａを有する。上枠下面板２８１ａの屋外側の端部２８１ｂは、連結上枠５１１の屋外側折り返し片５１２ｃよりも屋外側に突出して配置される。上枠下面板２８１ａには、見込方向の中央側において、上下方向に貫通する上枠ビス孔２８１ｃが形成される。上枠ビス孔２８１ｃには、上枠２８に排煙障子５２の連結上枠５１１が締結される場合に、固定ビス５０５が貫通されて締結される。
【００９０】
上枠ビス孔２８１ｃ及び上枠ビス孔５１２ｈは、見込方向における同じ位置において、上下方向に直線上に並んで配置される。上枠ビス孔２８１ｃ及び上枠ビス孔５１２ｈには、固定ビス５０５が、下方側から上方側に移動されて、貫通されて配置される。見込方向の締結位置における上枠ビス孔２８１ｃ及び上枠ビス孔５１２ｈにおいて、上枠２８と連結上枠５１１とを、固定ビス５０５により、連結補強体５１０と共に締結することで、上枠２８と連結上枠５１１とを連結する。上枠ビス孔２８１ｃ及び上枠ビス孔５１２ｈは、見込方向における締結位置において、固定ビス５０５により、上枠２８と連結上枠５１１とが締結される締結部分である。
【００９１】
上枠カバー部材２８２は、上枠本体部２８１の屋外側の下部に嵌合される。上枠カバー部材２８２は、上枠２８と連結枠体５１の連結上枠５１１との間の隙間を覆うように、上枠２８及び連結枠体５１の連結上枠５１１の隙間が形成される部分の屋外側において、上枠本体部２８１の屋外側の下部から、下方に延びるように形成される。
【００９２】
上枠カバー部材２８２の屋内側の側面と連結上枠５１１の屋外側立ち上がり板５１２ｂの屋外側の側面との間には、下方に開放する隙間が形成される。上枠カバー部材２８２の屋内側の側面と連結上枠５１１の屋外側立ち上がり板５１２ｂの屋外側の側面との隙間には、上方側にバックアップ材７４ｃが配置され、下方側に湿式シール７４ａが施工される。湿式シール７４ａは、上枠２８と連結上枠５１１との間の隙間のうち、屋外側に形成される隙間に塗工されている。湿式シール７４ａは、上枠カバー部材２８２の屋内側の側面と連結上枠５１１の屋外側立ち上がり板５１２ｂの屋外側の側面との間に塗工され、断面が四角形状に形成されている。湿式シール７４ａは、見付方向の左右方向に亘って塗工される。
【００９３】
上枠２８と連結上枠５１１との間の隙間において、湿式シール７４ａの近傍には、水膨潤性止水材７４ｂが配置される。水膨潤性止水材７４ｂは、上枠２８と連結上枠５１１との間の隙間への水の浸入を抑制できる乾式シール材である。
【００９４】
本実施形態においては、水膨潤性止水材７４ｂは、上枠２８と連結上枠５１１との間の隙間において、湿式シール７４ａの上方側の位置から屋外側に延びる。また水膨潤性止水材７４ｂは、見付方向の左右方向に延びる。水膨潤性止水材７４ｂは、厚みが薄いシート状に形成され、上枠２８の下面又は連結上枠５１１の上面に粘着剤を介して貼り付けられる。水膨潤性止水材７４ｂは、上枠２８の上枠下面板２８１ａの屋外側の端側の下面と、連結上枠５１１の屋外側折り返し片５１２ｃの上面との間の隙間に配置される。水膨潤性止水材７４ｂは、固定ビス５０５が締結される締結部分（上枠２８の上枠下面板２８１ａの上枠ビス孔２８１ｃ）よりも屋外側に配置される。
【００９５】
水膨潤性止水材７４ｂは、例えば、前述の水膨潤性止水材７１ｂと同様の素材により形成され、水膨潤性止水材７４ｂに浸入した水を吸収してゲル状に変化させて膨張させる。これにより、水膨潤性止水材７４ｂは、固定ビス５０４が締結される上枠２８の上枠下面板２８１ａの上枠ビス孔２８１ｃよりも屋外側において、上枠２８と連結上枠５１１との間の隙間を塞いで止水して、水漏れや浸水を防ぐことができる。
【００９６】
よって、第２実施形態によれば、第１実施形態と同様の効果を奏することができる。
つまり、第２実施形態においては、第１実施形態と同様に、第２実施形態の水膨潤性止水材７４ｂは、湿式シール７４ａの近傍において、隣接する上枠２８及び連結上枠５１１同士の締結部分（上枠ビス孔２８１ｃ及び上枠ビス孔５１２ｈ）よりも屋外側に配置される。そのため、経時劣化などにより湿式シール７４ａが破損した場合であっても、水膨潤性止水材７４ｂにより、枠材の連結部分において水の浸入を抑制できる。
【００９７】
以上、本発明のサッシユニット１の好ましい一実施形態について説明したが、本発明は、上述の実施形態に制限されるものではなく、適宜変更が可能である。
例えば、前記実施液体では、排煙窓ユニット５を、枠体２に取り付ける場合における枠材同士の水密構造について説明したが、これに限定されない。例えば、開閉しない窓ユニットを、枠体に取り付ける場合における枠材同士の水密構造も適用してもよい。
【００９８】
また、前記実施形態では、サッシユニット１について、前記第１実施形態において上下に３つの窓（ＦＩＸ窓６１、排煙窓ユニット５、ＦＩＸ窓６２）を３段に連続して配置した場合や、前記第２実施形態において上下に２つの窓（排煙窓ユニット５、ＦＩＸ窓６２）を２段に連続して配置した場合について説明したが、これに限定されない。例えば、上下に窓を連続して配置しなくてもよく、１段の排煙窓で構成してもよい。また、複数の窓を上下に複数の窓を４段以上連続して配置してもよい。
【符号の説明】
【００９９】
１…サッシユニット（建具）
２…枠体（第１枠体）
２３…縦枠（第１枠材）
２５…方立（第１枠材）
２６…上側無目（第１枠材）
２８…上枠（第１枠材）
５１…連結枠体（第２枠体）
７１ａ、７２ａ、７３ａ、７４ａ…湿式シール
７１ｂ、７２ｂ、７３ｂ、７４ｂ…水膨潤性止水材
２３１ａ…縦枠ビス孔（締結部分）
２５１ａ…方立ビス孔（締結部分）
２６１ｃ…上側無目ビス孔（締結部分）
５１１…連結上枠（第２枠材）
５１２ｈ…上枠ビス孔（締結部分）
５２１…連結縦枠（第２枠材）
５２２ｈ…連結縦枠ビス孔（締結部分）
５３１…連結縦枠（第２枠材）
５３２ｈ…連結縦枠ビス孔（締結部分）
【図１】
2018135676.tif 000003
【図２】
2018135676.tif 000004
【図３】
2018135676.tif 000005
【図４】
2018135676.tif 000006
【図５】
2018135676.tif 000007
【図６】
2018135676.tif 000008
【図７】
2018135676.tif 000009
【図８】
2018135676.tif 000010